(57)【要約】      （修正有）【課題】シンプルな構成でありながら、貯水タンク内部の良好な水の流れを提供することができる縦型貯水装置と貯水装置付きマンションを提供する。【解決手段】縦長の貯水タンク１と、底壁３に設けられ、上水道の給水管に接続される流入部６と、底壁３に設けられ、先端の吐出口５２が周壁２の内周面２０に向かって斜め上方に向いている吐出管５と、上壁４に設けられた流出部７と、底壁３に設けられ、平時は閉じている排水部８と、を備え、平時には、流入部６から流入した水道水が、吐出管５から周壁２の内周面２０に向かって斜め上方に吐出され、吐出された水道水は、貯水空間Ｒの下方から上方に向かって、内周面２０に沿って螺線流を形成しながら上方に流れて、流出部７から排出される。【選択図】図１
0003211006.tif 000002
【実用新案登録請求の範囲】
【請求項１】
円筒状の周壁と、上壁と、底壁と、からなり、内部に貯水空間が形成されている縦長の貯水タンクと、
前記底壁に設けられ、上水道の給水管に接続される流入部と、
前記流入部と前記貯水空間とを連通するように、前記貯水空間内に位置させて、前記底壁に設けられ、先端の吐出口が前記周壁の内周面に向かって斜め上方に向いている吐出管と、
前記貯水空間と連通するように前記上壁に設けられた流出部と、
前記貯水空間と連通するように前記底壁に設けられ、平時は閉じている排水部と、
を備え、
平時には、前記流入部から流入した水道水が、前記吐出管から前記周壁の内周面に向かって斜め上方に吐出され、吐出された水道水は、前記貯水空間の下方から上方に向かって、前記周壁の内周面に沿って螺線流を形成しながら上方に流れて、前記流出部から排出され、
非常時には、前記給水管に設けた逆止弁が作動して前記流入部からの逆流が防止され、前記排水部を開けて前記貯水空間の貯留水を排出する、
縦型貯水装置。
【請求項２】
複数の住宅からなるマンションであって、各戸のパイプシャフトには上水道の給水管が延びており、前記各戸のパイプシャフトには請求項１に記載の縦型貯水装置が配置されている、貯水装置付きマンション。
【考案の詳細な説明】
【技術分野】
【０００１】
本考案は、縦型貯水装置と貯水装置付きマンションに関するものである。
【背景技術】
【０００２】
水道水は、水道管を通して供給されるものであり、具体的には、配水場から配水管を通して給水区域まで送られ、配水管から分岐する給水管を引き込むことで、各家庭等の需要者に供給される。災害時の断水に備えて飲料水等を確保するために、水道管の途中に貯水タンクを設けることが提案されている。このような貯水タンクには、横型と縦型が知られており、縦型の貯水タンクについては、特許文献１〜３に記載されている。
【０００３】
特許文献１には、水道本管の配管途中に管継手を介してタンクを接続し、該タンクの底部に開閉弁を設けた非常時用飲料水貯蔵タンクであって、前記管継手内を区画して給水源側の配管とタンク内とを連通させる給水路、および給水栓側の配管とタンク内とを連通させる送水路とを設け、且つ、前記給水路と送水路とを隔離する壁面一部に両水路を連通させる通孔を開口してなり、給水路からタンク内に水道水を供給する送水管の下端はタンクの底部近傍に至っている。
【０００４】
特許文献２には、特許文献１と類似の構成を備えた非常時貯水装置が開示されており、非常時用水を蓄える貯水槽と、一端が水道水の引き込み側と連通すると共に他端が前記貯水槽の上端から挿入されて前記貯水槽の底部近傍まで延び前記水道水の引込み側から導かれた水道水を前記貯水槽の底部近傍に導入する導入管と、この導入管に設けられた逆止弁と、一端が前記貯水槽の上端に接続され他端が家庭用配水管側に連通して前記貯水槽に水道水が満たされている平常時には前記貯水槽内の水道水を順次家庭内に給水するための出口配管と、前記水道水の引込み側の断水時に前記貯水槽の上部から挿入されてその一端が前記貯水槽の底部近傍まで延び他端が前記貯水槽内の水の非常時用取出口となる非常時用取出管と、前記貯水槽の上部から空気を導入して前記貯水槽内の水道水を前記非常時用取出管を介して汲み上げる手動ポンプ機構とを備え、平常時には、水道水の引込み側から導入管を介して貯水槽内に導入された水道水によって貯水槽の内部には、水道水が満たされているので、貯水槽の上部に接続された出口配管を介して貯水槽内の水が水圧によって家庭内に供給され、また、導入管の一端は貯水槽の底部近傍まで延びているので、貯水槽内下部に導入された水道水は、貯水槽内の水を撹拌しながら上部の出口配管から外部に排出されるようにしている。
【０００５】
特許文献３には、震災時において利用できる多量の飲料水を貯留する貯水槽の耐圧性を向上させると共に、槽内の貯留水を効率的に循環させて、貯留水を新鮮な状態で確保することを目的として、縦型のタンクの中心に位置させて円筒支柱を配置し、その上下端をタンクの上下部に連結し、円筒支柱の下端部分に、その内外を連通させる流入路を設け、タンクの上部分に、水の流入管の吐出口を、タンクの接線方向に水を噴出するように配置し、円筒支柱の上部に水の流出管を連設してなる貯水槽が開示されている。
【０００６】
特許文献１〜３の貯水槽はいずれもタンク内に当該タンクの上方から下方に向かって水道水を供給すると共に、タンク内部の中央に略全高に亘って部材（送水管、導入管、円筒支柱）が延びており、タンクの構成が複雑なものとなっていた。また、タンク内部に部材が存在することは、タンク内部の水の流れに影響を与え得るものと考えられる。
【０００７】
また、マンション等の集合住宅には共有の貯水槽が備わっており、非常時には、貯水槽の貯留水を利用することができるが、非常時において、個々の家庭毎の判断で用いることが可能な水が確保されていることは有用である。特許文献４には、ビル・マンション用緊急時電源・水源システムが開示されているが、このものも、地下の共有の緊急貯水槽から給水ポンプにより水を汲み上げて各戸に給水するようになっている。
【先行技術文献】
【特許文献】
【０００８】
【特許文献１】実開昭５４−８７１４
【特許文献２】特開平９−２７９６４４
【特許文献３】特開平１１−３０３１５９
【特許文献４】特開２０１３−６０７２５
【考案の開示】
【考案が解決しようとする課題】
【０００９】
本考案は、シンプルな構成でありながら、貯水タンク内部の良好な水の流れを提供することができる縦型貯水装置と貯水装置付きマンションを提供することを目的とするものである。
【課題を解決するための手段】
【００１０】
本考案が採用した第１の技術手段は、円筒状の周壁と、上壁と、底壁と、からなり、内部に貯水空間が形成されている縦長の貯水タンクと、前記底壁に設けられ、上水道の給水管に接続される流入部と、前記流入部と前記貯水空間とを連通するように、前記貯水空間内に位置させて、前記底壁に設けられ、先端の吐出口が前記周壁の内周面に向かって斜め上方に向いている吐出管と、前記貯水空間と連通するように前記上壁に設けられた流出部と、前記貯水空間と連通するように前記底壁に設けられ、平時は閉じている排水部と、を備え、平時には、前記流入部から流入した水道水が、前記吐出管から前記周壁の内周面に向かって斜め上方に吐出され、吐出された水道水は、前記貯水空間の下方から上方に向かって、前記周壁の内周面に沿って螺線流を形成しながら上方に流れて、前記流出部から排出され、非常時には、前記給水管に設けた逆止弁が作動して前記流入部からの逆流が防止され、前記排水部を開けて前記貯水空間の貯留水を排出する、縦型貯水装置である。
【００１１】
本考案が採用した第２の技術手段は、複数の住宅からなるマンションであって、各戸のパイプシャフトには上水道の給水管が延びており、前記各戸のパイプシャフトには上記第１の技術手段で規定した縦型貯水装置が配置されている、貯水装置付きマンション、である。
【考案の効果】
【００１２】
本考案によれば、貯水タンクの底壁から傾斜状の吐出管を介して水道水を供給するという簡単な構成で、貯水タンクの貯水空間に下方から上方に向かう螺線流を形成し、貯水タンク内部の良好な水の流れを提供することができ、貯水空間には常時、より新鮮な水道水を貯留させることができる。
【００１３】
本考案に係る縦型の貯水タンクは、同じ容量の横型の貯水タンクに比べて、設置面積が小さくて良いので、地上の狭小スペース（例えば、パイプシャフト）に設置することができる。マンションのように各戸がパイプシャフトを有する場合に、各戸の各パイプシャフトに本考案に係る縦型貯水装置を設置しておけば、非常時において、個々の家庭毎の判断で用いることが可能な水を確保することができる。
【図面の簡単な説明】
【００１４】
【図１】本考案の実施形態に係る縦型貯水装置の側面図である。
【図２】本考案の実施形態に係る縦型貯水装置の正面図である。
【図３】本考案の実施形態に係る縦型貯水装置の平面図である。吐出管からの水道水の吐出方向を矢印で示す。
【図４】本考案の実施形態に係る縦型貯水装置を備えたマンションの概略図である。
【考案を実施するための形態】
【００１５】
図１〜図３に示すように、貯水タンク１は垂直姿勢で設置される縦長のタンクであり、円筒状の側壁ないし周壁２と、周壁２の下端側に一体形成された下側に膨出状の底壁３と、周壁２の上端側に一体形成された上側に膨出状の上壁４、とからなり、周壁２、底壁３、上壁４の内面で囲まれた空間が水道水の貯水空間Ｒとなっている。貯水空間Ｒの容量は例えば４０リットルであるが、容量はこれには限定されるものではない。１つの態様では、貯水タンク１はステンレスから形成されている。
【００１６】
底壁３には、上水道の給水管１２（図４参照）に接続される流入部（給水管ニップル）６が形成されている。図４の態様では、流入部６は、管継手（分岐給水管）１２０を介して給水管１２に接続されている。本明細書では、給水管１２、管継手１２０を含めて「給水管」と呼ぶ。図示の態様では、流入部６は、底壁３の周縁（周壁２に近い部位）に位置して配置されている。底壁３には、流入部６と貯水空間Ｒとを連通するように、貯水空間Ｒ内に位置させて、ノズルないし吐出管５が設けてある。吐出管５は、下端が流入部６と連通する立ち上がり状の第１部分５０と、第１部分５０の上端から斜め上方かつ周壁２の内周面２０に向かって傾斜状に延びる第２部分５１と、からなり、第２部分５１の先端に吐出口５２が形成されている。貯水空間Ｒには、下方部位の周壁２側に寄って吐出管５が配置されているのみであり、貯水空間Ｒの高さ方向に延びるいかなる部材も存在しない。
【００１７】
吐出管５の第２部分５１は、下端から上端に向かって周壁２に近づくように傾斜状に延びると共に、第２部分５１の下端から周壁２の内周面２０とを最小距離で結ぶ直線Ｌ（図３参照）を通る仮想垂直面Ｐ（図３参照）に対して傾斜している。すなわち、吐出管５の第２部分５１は２つの方向に傾斜しており、第２部分５１の先端に吐出口５２から吐出された水道水は、周壁２の内周面２０に沿って上方に向かってスパイラル状の流れを形成する。
【００１８】
上壁４には、貯水空間Ｒと連通するように流出部（送水管ニップル）７が形成されている。図示の態様では、流出部７は、上壁４の中央（貯水空間Ｒの最上位置）に形成されている。流出部７は、配管１３（図４参照）と接続されており、貯水空間Ｒの水道水は、配管１３を通して所定位置に送水される。
【００１９】
底壁３には、貯水空間Ｒと連通するように排水部（排水管ニップル）８が形成されている。図示の態様では、排水部８は、底壁３の中央（貯水空間Ｒの最下位置）に形成されている。排水部８に接続された排水管（図示せず）は、通常時（平時）には栓が閉じられている。
【００２０】
図示の態様では、貯水タンク１の外面は、断熱材９で覆われている。断熱材９は、例えば、グラスウール保温材（アルミガラスクロス貼り）である。
【００２１】
貯水タンク１の下方部位は、３本の脚部１０によって支持されており、各脚部１０の下端はベース１００を介して床面ＦＬに固定されている。貯水タンク１の底壁３と床面とは離間しており、その間に所定の空間が確保されており、流入部６、排水部８への管体の接続を容易にしている。さらに、貯水タンク１の上方部位は、壁固定用ブラケット１１を介して壁Ｗに固定されている。
【００２２】
平時（水道水の供給が有効である時、すなわち、断水で無い場合）には、上水道の水圧により流入部６から流入した水道水によって、貯水タンク１の貯水空間Ｒが満水状態となり、さらに、流入部６から水道水が貯水空間Ｒに流入することで、上壁４に形成された流出部７から配管１３（図４参照）を通して供給される。この時、流入部６から流入した水道水はノズル５の吐出口５２から周壁２の内周面２０に向かって斜め上方に吐出され、吐出された水道水は、貯水空間Ｒの下方から上方に向かって、周壁２の内周面２０に沿って螺線流を形成しながら上方に流れて、流出部７から排出される。したがって、貯水空間Ｒ内の貯留水を滞留や澱みを可及的に防止し、貯留水を新鮮な状態で確保するようにしている。
【００２３】
非常時（断水時）には、給水管１２の水圧の低下により、給水管１２ないし給水管と流入部６とを接続する管継手１２０（図４参照）に設けた逆止弁（図示せず）が作動して、貯水空間Ｒに貯留された水道水が流入部６から逆流してしまうことを防止する。排水部８の栓（バルブ）を開けることで、貯水空間Ｒに貯留された水道水を排出して所望の用途に用いることができる。
【００２４】
本実施形態に係る縦型貯水装置は、横型の貯水タンクに比べて設置面積をとらないので、マンション等の集合住宅のパイプシャフトないしパイプスペース、また、敷地面積が比較的小さな戸建て住宅等における設置が可能となる。１つの態様では、本実施形態に係る縦型貯水装置は、マンションの各戸に個別に設置される。さらに、マンション等の集合住宅では、共有の大型の貯水タンクが用意されている場合が多いが、非常時において、個々の家庭毎の判断で用いることができる水が確保されることは有用である。マンション等の集合住宅には、縦方向の各種配管（給排水管やガス管等）を通すための垂直方向の空間であるパイプシャフトＰＳが備わっており、本実施形態に係る縦型貯水装置は、パイプシャフトＰＳに設置することができる。
【００２５】
図４は本実施形態に係る縦型貯水装置が各戸（９戸）に設置されたマンションの概略図である。各戸にはパイプシャフトＰＳが備わっており、パイプシャフトＰＳ内には、給水管１２が延びている。各戸のパイプシャフトＰＳ内に貯水タンク１が設置されており、貯水タンク１の底壁３の流入部６と給水管１２は管継手１２０によって接続されている。貯水タンク１の貯水空間Ｒ内の水道水は、貯水タンク１の上壁４の流出部７と接続された配管１３を介して各戸の所定部位に供給され、配管１３の先端には例えば水栓バルブ（図示せず）が設けてある。管継手１２０には逆止弁（図示せず）が設けてあり、災害時等に給水管１２の水圧が所定圧より低下した場合には、逆止弁が作動して、貯水タンク１の貯水空間Ｒに貯留された水道水が流入部６から管継手１２０を通って逆流することを防止する。緊急時には、各戸の住人は、各戸毎に設置された貯水タンク１の貯留水を用いることができる。本実施形態に係る縦型貯水装置は、マンションの建設時に設置してもよく、あるいは、後付けで設置してもよい。
【符号の説明】
【００２６】
１  貯水タンク
２  周壁
３  底壁
４  上壁
５  ノズル（吐出管）
６  流入部
７  流出部
８  排水部
【図１】
0003211006.tif 000003
【図２】
0003211006.tif 000004
【図３】
0003211006.tif 000005
【図４】
0003211006.tif 000006